(57)【要約】【課題】  マイクロホンを所定の回路基板に電気的に確実に接続しつつ機械的にも安定して取り付けることができること。【解決手段】  マイクロホンＭを収容するホルダ本体３と、これを収容するソケット本体５とで構成する。ホルダ本体３には、収納中のマイクロホンＭの出力端子に接触する内側接片部２ａ３、２ｂ３と、これをソケット本体５に装入した場合にその第１又は第２中間端子部材６ａ、６ｂの内部接片部６ａ１、６ｂ１に接触する外側接片部２ａ２、２ｂ２と、両者を下端でＶ字状に接続する基部２ａ４、２ｂ４とで構成する第１及び第２端子部材２ａ、２ｂを側部から装入する。ソケット本体５には、内部接片部６ａ１、６ｂ１と、その上端から折り返す折り返し部６ａ２、６ｂ２と、その下端に構成した外部接片部６ａ３、６ｂ３とからなる逆Ｖ字形部材である第１及び第２中間端子部材６ａ、６ｂを配する。【選択図】  図８
2006115395.tif 000002
【特許請求の範囲】
【請求項１】
マイクロホン（Ｍ）を収容するマイクロホンホルダと、該マイクロホンホルダを収容するソケットとで構成したマイクロホン取付装置であって、
前記マイクロホンホルダを、
マイクロホン収容部（１）及び一対の端子取付スリットを備えたホルダ本体（３）と、
前記各端子取付スリットに挿入する弾力性を持った一対の端子部材（２ａ、２ｂ）であって、その一方の端子部材（２ａ）がマイクロホン（Ｍ）の出力端子の中心端子（ｔ１）に接触する内側接片部（２ａ３）と前記ソケット側に露出する外側接片部（２ａ２）と該内側接片部（２ａ３）及び該外側接片部（２ａ２）を繋ぐ基部（２ａ４）とからなり、他方の端子部材（２ｂ）がマイクロホン（Ｍ）の出力端子の外周端子（ｔ２）に接触する内側接片部（２ｂ３）と前記ソケット側に露出する外側接片部（２ｂ２）と該内側接片部（２ｂ３）及び該外側接片部（２ｂ２）を繋ぐ基部（２ｂ４）とからなり、各々が該基部（２ａ４、２ｂ４）付近でＶ字状に折曲したものである一対の端子部材（２ａ、２ｂ）と、
で構成し、
前記ソケットを、
前記マイクロホンホルダを挿入するホルダ収容部（４）を備えたソケット本体（５）と、
各一端を該ソケット本体（５）のホルダ収容部（４）に収容された前記マイクロホンホルダの一対の端子部材（２ａ、２ｂ）の各外側接片部（２ａ２、２ｂ２）に接触する内部接片部（６ａ１、６ｂ１）に、各他端を外部接片部（６ａ３、６ｂ３）に、それぞれ構成した弾力性を持ったほぼ逆Ｖ字形の一対の中間端子部材（６ａ、６ｂ）と、
で構成したマイクロホン取付装置。
【請求項２】
前記マイクロホン収容部（１）を前記ホルダ本体（３）の前面に開口する構成とした請求項１のマイクロホン取付装置。
【請求項３】
前記一対の端子取付スリットを、前記ホルダ本体（３）の後部に、その両側から前記一対の端子部材（２ａ、２ｂ）の各々を挿入可能なように構成し、該一対の端子部材（２ａ、２ｂ）の各々を、該一対の端子取付スリットに、その対応する側部から挿入可能なように構成した請求項１又は２のマイクロホン取付装置。
【請求項４】
前記一対の端子取付スリットの各々を、前記各対応する端子部材（２ａ、２ｂ）の外側接片部（２ａ２、２ｂ２）の後部外端（２ａ１、２ｂ１）を挿入保持する、前記ホルダ本体（３）の後面側途中に配した外端係止スリット（７ａ１、７ｂ１）と、該端子部材（２ａ、２ｂ）の外側接片部（２ａ２、２ｂ２）を位置させる、該ホルダ本体（３）の後面下部に配した接合面（７ａ２、７ｂ２）と、該端子部材（２ａ、２ｂ）の内側接片部（２ａ３、２ｂ３）の下部及び基部（２ａ４、２ｂ４）を挿入保持する、該ホルダ本体（３）の下部に配した下部貫通スリット（７ａ３、７ｂ３）とで構成した請求項１、２又は３のマイクロホン取付装置。
【請求項５】
前記ホルダ本体（３）のマイクロホン収容部（１）に収容されるマイクロホン（Ｍ）を、その出力端子がブルズアイ配置に構成されているものとした請求項１、２、３又は４のマイクロホン取付装置。
【請求項６】
前記各内部接片部（６ａ１、６ｂ１）を、前記ソケット本体（５）のホルダ収容部（４）に収容されたマイクロホンホルダの一対の端子部材（２ａ、２ｂ）の各外側接片部（２ａ２、２ｂ２）に、該マイクロホンホルダのホルダ本体（３）の後面と対面する側に位置した状態で接触するように構成し、かつ該各内部接片部（６ａ１、６ｂ１）の上端に該部位から下方に折り返す折り返し部（６ａ２、６ｂ２）を構成し、前記各外部接片部（６ａ３、６ｂ３）を該各折り返し部（６ａ２、６ｂ２）の下端に結合して構成した請求項１、２、３、４又は５のマイクロホン取付装置。
【請求項７】
前記一対の端子部材（２ａ、２ｂ）の各基部（２ａ４、２ｂ４）を、該一対の端子部材（２ａ、２ｂ）を各々前記ホルダ本体（３）の端子取付スリットに配した状態で、相互に他の端子部材（２ａ、２ｂ）の内側接片部（２ａ３、２ｂ３）から離れる横方向に延長して構成し、前記外側接片部（２ａ２、２ｂ２）を、該基部（２ａ４、２ｂ４）の他の端子部材（２ａ、２ｂ）の内側接片部（２ａ３、２ｂ３）から離れた位置から立ち上げるように構成した請求項１、２、３、４、５又は６のマイクロホン取付装置。
【請求項８】
前記ソケットの、前記ホルダ収容部（４）に装入されたマイクロホンホルダの一対の端子部材（２ａ、２ｂ）の各々の外側接片部（２ａ２、２ｂ２）と対面する部位に、該ホルダ収容部（４）側に開口する端子収容部（８ａ、８ｂ）を形成し、該各端子収容部（８ａ、８ｂ）に前記中間端子部材（６ａ、６ｂ）の各々を配した請求項１、２、３、４、５、６又は７のマイクロホン取付装置。
【発明の詳細な説明】
【技術分野】
【０００１】
本発明は、動画撮影機能付きのディジタルカメラや携帯電話、或いは種々の無線装置等に内蔵されるマイクロホン、特にエレクトレット・コンデンサ・マイクロホンのような小型のマイクロホンをそれらの回路基板に大きなスペースを取らずに確実に結合保持するためのマイクロホン取付装置に関するものである。
【背景技術】
【０００２】
この種のマイクロホン取付装置には、マイクロホンを収納する収納空間を備えたマイクロホンホルダのみで構成されるものがある。この装置のマイクロホンホルダは、それ自体ホルダ本体のみからなり、基本的に、マイクロホンを収納した上で対象の回路基板の係止手段等に係止させて位置決めすることをその目的とする。マイクロホンの一対の出力端子の各々と回路基板の対応する端子間を電気的に接続するコンタクト部材は別に用意される必要がある。
【０００３】
またこの種のマイクロホン取付装置には、マイクロホンを収納する収納空間を備えたホルダ本体と該ホルダ本体に収納したマイクロホンの一対の出力端子の各々と回路基板の対応する端子間を電気的に結合するコンタクト部材とからなるマイクロホンホルダに構成されるものがある。このマイクロホン取付装置では、該コンタクト部材はホルダ本体に一体に構成される。マイクロホンを収納したホルダ本体を回路基板の所定の係止手段等に係止させて該マイクロホンを位置決めすると共に、そのコンタクト部材の各々を回路基板の対応する端子に接触させて、該マイクロホンの一対の出力端子を該回路基板に電気的に接続することを目的とする。
【０００４】
更に又この種のマイクロホン取付装置には、マイクロホンホルダとこれを装入する装入空間を持ったソケットとから構成されるものがあり、本発明はこのタイプのマイクロホン取付装置である。このタイプの装置のマイクロホンホルダは、マイクロホンを収納する収納空間を備えたホルダ本体と該ホルダ本体に収納したマイクロホンの一対の出力端子の各々と後記ソケットの対応する端子部材間を電気的に結合するコンタクト部材とからなる。該コンタクト部材はホルダ本体に構成される。前記ソケットは、マイクロホンホルダをその装入空間に装入した状態で、そのコンタクト部材の各々と回路基板の対応する端子間とを電気的に接続する二つの端子部材を備えたものである。
【０００５】
このタイプのマイクロホン取付装置の場合は、予め回路基板の所定の部位にソケットを固定し、その端子部材の各々を該回路基板の所定の端子に接触させた状態としておき、該ソケットの装入空間に、マイクロホンを収納したマイクロホンホルダを装入することにより、マイクロホンを位置決めし、同時にその一対の出力端子を前記コンタクト部材及び端子部材を介して回路基板の対応する端子に電気的に接続するものである。
【０００６】
以上のようなマイクロホン取付装置に関していくつかの文献が見いだされる。
その第１例は、ほぼ筒状の外周面形状を有するマイクロホンと、このマイクロホンをほぼ筒状に覆うようにして保持するゴム製のホルダと、を備えてなるマイクロホン装置に於いて、上記マイクロホンが、ほぼ筒状の金属製のケース内にマイクロホン本体が収容されてなり、上記ケース自体がアース端子として構成されると共に上記マイクロホン本体の下端面にプラス端子が配置されており、上記ホルダが、該ホルダの下端部から上記マイクロホンの下端面へ回り込むように延長形成された底壁部を備えてなり、この底壁部に於ける外周縁部の少なくとも一部が上記アース端子と導通する第１導電部として導電性ゴムで構成されると共に、該第１導電部から内周側に離れた所定部位が上記プラス端子と導通する第２導電部として導電性ゴムで構成されているマイクロホン装置である（特許文献１）。
【０００７】
この特許文献１のマイクロホン装置によれば、これを、携帯電話等の対象機器のケース内に位置決め固定し、その底面側を外部基板に当接させると、それだけで、マイクロホンのアース端子であるケースがホルダ底壁部の外周縁部に構成された第１導電部を介して該外部基板に構成されたアース端子に電気的に接続し、マイクロホンのプラス端子が第２導電部を介して該外部基板に構成されたプラス側端子に電気的に接続することとなる。
【０００８】
従ってマイクロホンのプラス端子等を極めて簡単に外部基板の対応する端子に接続することが可能となり、各々の端子間及び導電部間に必要な絶縁距離を確保できる利点を有するが、マイクロホンのプラス端子等とホルダの導電部間の接触力及び接触ストロークが十分に確保できない虞があり、更には、外部基板との電気的な接続の際の位置関係が特定され、多様なマイクロホンの配置に対応することは困難である。
【０００９】
。
第２例は、印刷回路基板との電気的な接続を通じて音声信号を電気信号に変換させるマイクロホンが、ボス部に装着される移動通信端末機に於いて、
前記印刷回路基板の一面には、導電部として、円形リング形態の第１接点部とその中央にある第２接点部とを設け、前記マイクロホンの一面には、導電部として、円形リング形態の第３接点部とその中央にある第４接点部とを設け、
前記マイクロホンは、ゴム材質で円筒形をなすホルダーに挿入されてから、移動通信端末機ケースの下段面に設けられたボス部に装着され、
前記ホルダーの下段面には、通話者の音声が、挿入された前記マイクロホンに送られるように、円形の開口部を設け、その上面には、前記印刷回路基板と前記マイクロホンとの電気的な接続ができるように、導電部としてのコネクタの機能を行う円形リング形態の第５接点部とその中央にある第６接点部とを、内外側に連通されるように、同一平面上に設け、
前記第５及び第６接点部の周りには、後面ケースの密着時、緩衝作用をしながら、第１及び第２接点部と第５及び第６接点部の接点動作に案内するクッション部を設けるものである移動通信端末機のマイクロホンの接続構造である（特許文献２）。
【００１０】
この特許文献２のマイクロホンの接続構造は、実質的には、特許文献１のマイクロホン装置と殆ど同様のものであり、同様に使用し得、また同様の利点を有し、かつ同様の問題点を有するものである。
【００１１】
第３例は、マイクロホンと、該マイクロホンを外装するカバー部材付きのホルダと、該ホルダに配した、該マイクロホンを外部基板に電気的に接続する接続コネクタとを備えた電気音響変換器であって、
前記接続コネクタが、導電性を有すると共に、その内端側が該マイクロホンの導体部と当接可能であり、その外端側が該マイクロホンの導体部に対応する外部基板の導体部と当接可能であるねじりコイルばねからなり、該ねじりコイルばねの内端側を該マイクロホンの導体部に当接させた状態で、前記ねじりコイルばねを保持する軸状保持部材を有している電気音響変換器である（特許文献３）。
【００１２】
この特許文献３の電気音響変換器によれば、外部基板の導体部が、接続コネクタを構成するねじりコイルばねの外端側の可動範囲内に位置すれば、当接可能であり、十分なばね力を有し得るものであるから、外部基板との位置関係の制限が少なく、かつ十分な接触力及び広い接触ストロークを持ち得るものであることは認められる。しかし軸状保持部材へのねじりコイルばねの取り付けはなかなか容易ではないと思われる。該軸状保持部材に切欠を設けて、これを通してコイル部分を該軸状保持部材に外装嵌合状態にするものであるが、狭い部位であり、容易に通過できる大きな切欠は形成しがたいと思われるからである。またこのような切欠を設けることにより該軸状保持部材はホルダにＴ字状に支持される等、片持ち状態の支持となり、十分な強度を持ち得るか疑問がある。
【００１３】
第４例は、天面に音孔が形成された筒状ケースの底部に信号出力用電極が形成されたマイクロホンを所定の支持面において支持する支持部材と、該支持部材に固定され、前記信号出力用電極から外部回路に信号を伝達する端子部材とを備えてなり、該支持部材の支持面に形成された開口部を該端子部材によって閉塞してあるマイクロホンホルダである（特許文献４）。
【００１４】
この特許文献４のマイクロホンホルダによれば、端子部材を一体に配しつつ支持部材を成形する際に生じる開口部を該端子部材の一部で閉塞するようにしたことにより、該マイクロホンホルダの底部側への閉塞手段による膨らみを回避して、小型化を図り得るものとしたものである。
【００１５】
【特許文献１】特開２００４−２０７８０７号公報
【特許文献２】特開２００２−０９４６３０号公報
【特許文献３】特開２００２−１５２８７４号公報
【特許文献４】特開２００３−０３７８８４号公報
【発明の開示】
【発明が解決しようとする課題】
【００１６】
本発明は、マイクロホンホルダとこれを装入するソケットとからなるマイクロホン取付装置であって、そのマイクロホンホルダが、ブルズアイ配置の出力端子を持ったマイクロホンを簡単確実に収納保持し、かつ一方でその一対の出力端子に相互に短絡のおそれなく確実に接触し、他方でソケットの端子部材に確実に接触することが可能な端子部材を備えたものであり、そのソケットが、該マイクロホンホルダをスムーズかつ確実に装入し得るものであり、更にその端子部材が該ソケットを対象の回路基板に取り付けた場合に確実に該回路基板の対応する端子に接続することができる小型で安定した機能を持つマイクロホン取付装置を提供することを解決の課題とする。
【課題を解決するための手段】
【００１７】
本発明の１は、マイクロホンを収容するマイクロホンホルダと、該マイクロホンホルダを収容するソケットとで構成したマイクロホン取付装置であって、
前記マイクロホンホルダを、
マイクロホン収容部及び一対の端子取付スリットを備えたホルダ本体と、
前記各端子取付スリットに挿入する弾力性を持った一対の端子部材であって、その一方の端子部材がマイクロホンの出力端子の中心端子に接触する内側接片部と前記ソケット側に露出する外側接片部と該内側接片部及び該外側接片部を繋ぐ基部とからなり、他方の端子部材がマイクロホンの出力端子の外周端子に接触する内側接片部と前記ソケット側に露出する外側接片部と該内側接片部及び該外側接片部を繋ぐ基部とからなり、各々が該基部付近でＶ字状に折曲したものである一対の端子部材と、
で構成し、
前記ソケットを、
前記マイクロホンホルダを挿入するホルダ収容部を備えたソケット本体と、
各一端を該ソケット本体のホルダ収容部に収容された前記マイクロホンホルダの一対の端子部材の各外側接片部に接触する内部接片部に、各他端を外部接片部に、それぞれ構成した弾力性を持ったほぼ逆Ｖ字形の一対の中間端子部材と、
で構成したマイクロホン取付装置である。
【００１８】
本発明の２は、本発明の１のマイクロホン取付装置に於いて、前記マイクロホン収容部を前記ホルダ本体の前面に開口する構成としたものである。
【００１９】
本発明の３は、本発明の１又は２のマイクロホン取付装置に於いて、前記一対の端子取付スリットを、前記ホルダ本体の後部に、その両側から前記一対の端子部材の各々を挿入可能なように構成し、該一対の端子部材の各々を、該一対の端子取付スリットに、その対応する側部から挿入可能なように構成したものである。
【００２０】
本発明の４は、本発明の１、２又は３のマイクロホン取付装置に於いて、前記一対の端子取付スリットの各々を、前記各対応する端子部材の外側接片部の後部外端を挿入保持する、前記ホルダ本体の後面側途中に配した外端係止スリットと、該端子部材の外側接片部を位置させる、該ホルダ本体３の後面下部に配した接合面と、該端子部材の内側接片部の下部及び基部を挿入保持する、該ホルダ本体の下部に配した下部貫通スリットとで構成したものである。
【００２１】
本発明の５は、本発明の１、２、３又は４のマイクロホン取付装置に於いて、前記ホルダ本体のマイクロホン収容部に収容されるマイクロホンを、その出力端子がブルズアイ配置に構成されているものとしたものである。
【００２２】
本発明の６は、本発明の１、２、３、４又は５のマイクロホン取付装置に於いて、前記各内部接片部を、前記ソケット本体のホルダ収容部に収容されたマイクロホンホルダの一対の端子部材の各外側接片部に、該マイクロホンホルダのホルダ本体の後面と対面する側に位置した状態で接触するように構成し、かつ該各内部接片部の上端に該部位から下方に折り返す折り返し部を構成し、前記各外部接片部を該各折り返し部の下端に結合して構成したものである。
【００２３】
本発明の７は、本発明の１、２、３、４、５又は６のマイクロホン取付装置に於いて、前記一対の端子部材の各基部を、該一対の端子部材を各々前記ホルダ本体の端子取付スリットに配した状態で、相互に他の端子部材の内側接片部から離れる横方向に延長して構成し、前記外側接片部を、該基部の他の端子部材の内側接片部から離れた位置から立ち上げるように構成したものである。
【００２４】
本発明の８は、本発明の１、２、３、４、５、６又は７のマイクロホン取付装置に於いて、前記ソケットの、前記ホルダ収容部に装入されたマイクロホンホルダの一対の端子部材の各々の外側接片部と対面する部位に、該ホルダ収容部側に開口する端子収容部を形成し、該各端子収容部に前記中間端子部材の各々を配したものである。
【発明の効果】
【００２５】
本発明の１のマイクロホン取付装置によれば、マイクロホンの出力音声信号を確実に回路基板に伝達することができることになる。
【００２６】
前記端子部材及び中間端子部材は、概ねＶ字形又は逆Ｖ字形に構成したものであり、かつそれぞれ弾力性を持った部材で構成したものであるため、各端子部材の内側接片部とマイクロホンの中心端子や外周端子との接触、並びに各端子部材の外側接片部と中間端子部材の内部接片部との接触は、小さなスペースで容易に必要な荷重を得ることが可能で、電気的に良好な接続を確保することができる。
【００２７】
前記ホルダ本体に弾力性を有する部材を採用すれば、その弾力性をマイクロホンの出力端子と端子部材の内側接片部との接触及び該端子部材の外側接片部と中間端子部材の内部接片部との接触の強化に利用することも可能となる。
【００２８】
前記ソケットの中間端子部材は、その外部接片部を自由な向き及び形状に構成することが可能であり、該ソケットを回路基板に取り付けた場合に、それだけの作業で、回路基板上の対応する端子部に良好に接触させ得るようにすることができる。
【００２９】
また前記一対の端子部材は、これらを前記ホルダ本体の端子取付スリットに挿入することで取り付け得るものとしたため、その取付作業が極めて簡単かつ確実に行えるものとなっている。
【００３０】
本発明の２のマイクロホン取付装置によれば、マイクロホンをホルダ本体のマイクロホン収容部にその前面側から簡単に装入可能としたものであり、組み立て工程をスムーズにかつ確実に行うことができる。
【００３１】
本発明の３のマイクロホン取付装置によれば、前記端子取付スリットを前記ホルダ本体の後部両側に構成し、かつＶ字形に構成した前記端子部材をそれぞれ側部から挿入可能であるように構成し、更に該端子部材それ自体の構成もそれに適合するようにしたため、後者の前者への取付作業が極めて簡単になったものである。
【００３２】
本発明の４のマイクロホン取付装置によれば、前記端子取付スリットを前記のような構成で前記ホルダ本体の後部両側に構成し、Ｖ字形に構成した前記端子部材の各部を側部からそれぞれ対応する部位に挿入可能であるように構成したため、その取付作業が極めて簡単であるばかりでなく、該ホルダ本体の後部の構成を小型化することが可能となり、全体としてのマイクロホン取付装置の小型化を図ることができる。
【００３３】
本発明の５のマイクロホン取付装置によれば、ホルダ本体のマイクロホン収容部にマイクロホンを装入する際に、該マイクロホンをどのような周方向の角度で装入しても、その後面の出力端子がブルズアイ配置に構成されているため、対応する前記各端子部材の内側接片部がそれぞれその出力端子の対応する中心端子又は外周端子に正確かつ確実に接触することとなり、かつ相互間に短絡が生じる虞もない。
【００３４】
本発明の６のマイクロホン取付装置によれば、マイクロホンホルダをマイクロホンを装入した状態で前記ソケット本体のホルダ収容部に装入すれば、自ずとホルダ本体の後部に露出した一対の端子部材の外側接片部がソケット本体に配した一対の中間端子部材の内部接片部に弾力的に接触することとなり、良好な電気的結合が行われる。また前記折り返し部を介して内部接片部と外部接片部とを結合することにより、素材の弾力性を有効に用いた構成とすることができる。
【００３５】
本発明の７のマイクロホン取付装置によれば、両端子部材をホルダ本体の前記所定の位置に取り付けた場合に、各々の基部から外側に立ち上がる両外側接片部は相互に十分な間隔を持って位置することになるため、その間に短絡の虞は生じない。また各外側接片部は十分な幅を持った構成とすることができるため、前記各対応する中間端子部材の内部接片部は該外側接片部と確実に接触できることになる。そのため該中間端子部材の内部接片部は、その形状を特定のそれに限定されず、その都合に応じて比較的自由にその形状を設定することができる。
【００３６】
本発明の８のマイクロホン取付装置によれば、ホルダ収容部側に開口する端子収容部を構成し、中間端子部材を該端子収容部に配することとしたため、その構成が簡明となり、組み立て作業が効率的となったものである。また中間端子部材を構成する素材の弾力性を生かせることともなったものである。
【発明を実施するための最良の形態】
【００３７】
本発明のマイクロホン取付装置は、基本的に、マイクロホンを収容するマイクロホンホルダと、該マイクロホンホルダを収容するソケットとで構成する。
該マイクロホンホルダは、前面に開口したマイクロホン収容部及び後部に両側から端子部材を挿入する一対の端子取付スリットを備えたホルダ本体と、該一対の端子取付スリットに挿入固定する一対の端子部材とで構成するものであり、また前記ソケットは、前記マイクロホンホルダをスライド挿入するホルダ収容部を備えたソケット本体と、該ソケット本体に、そのホルダ収容部に収容された前記マイクロホンホルダの一対の端子部材の各々に対応させて配する一対の中間端子部材とで構成するものである。
【００３８】
本発明の対象であるマイクロホンは、エレクトレット・コンデンサ・マイクロホンに代表される短円柱型乃至円盤型の小型マイクロホンであり、後面にブルズアイ配置の出力端子を備えているものである。ブルズアイ配置は、円形の中心端子とこれを円環状の絶縁部を介して囲む同様に円環状の外周端子とで構成される端子の配置である。多くの場合は外周端子をアース端子とするが、これに限定されるわけではない。
【００３９】
前記マイクロホン収容部は、前記ホルダ本体の前面に開口したマイクロホンの収容のための空間であり、該マイクロホンの外径を僅かに越える内径の短円柱状乃至円盤状の空間である。このマイクロホン収容部は前面の開口部をマイクロホンの装入口として用いる。この開口部の前部縁には該マイクロホンの装入に支障を来さず、他方、装入したマイクロホンの飛び出しを阻止する適当なストッパを構成しておくのが好ましい。
【００４０】
また該マイクロホン収容部には、その後面（底面）の中央部に適当な広さの接片用空間を切欠状態に構成し、該接片用空間に前記端子部材の内側接片部を導入するようにするのが適当である。該接片用空間は、前記マイクロホン後部のブルズアイ配置の出力端子がこれに面することができる形状寸法とすべきである。該接片用空間の後面には、例えば、該出力端子の中心端子に対面する部位及びこれを含む横一列の位置に、該部位を最も正面側に膨らませた横一列の土手状の膨出部を構成し、その直前に前記一対の端子部材の内側接片部の接点部を位置させるようにするのが適当である。該内側接片部の接点部は前記マイクロホン収容部内に進出状態になるように配置し、マイクロホンが該マイクロホン収容部中に装入され、その出力端子に押し戻されて該内側接片部の接点部が後退させられた場合に、その裏面側が前記膨出部の頂部に当接してこれによって背後から支持されるようにしておくのが好ましい。
【００４１】
前記一対の端子取付スリットは、それぞれ前記端子部材の後部外端を挿入保持する外端係止スリットと、該端子部材の外側接片部を接合状態に位置させる接合面と、該端子部材の内側接片部の下部及び基部を挿入保持する下部貫通スリットとで構成する。これらの端子取付スリットは、それぞれ端子部材をホルダ本体の側部から、これらに挿入するものであるから、いずれも側部側にも開口している。なお前記接合面は、これに接合する端子部材の外側接片部が、後述する中間端子部材の内部接片部と良好な接触が得られるように、ホルダ本体を立てた状態で、下向き傾斜状態になるように形成するのが適当である。
【００４２】
前記端子部材は、前記のように、前記両端子取付スリットに各々側部側から挿入する弾力性を持った一対の部材である。一方の端子部材は、マイクロホンのブルズアイ配置の出力端子の内、中心端子と回路基板の対応する端子とをこれ及び中間端子部材を介して電気的に接続するものであり、他方の端子部材はマイクロホンのブルズアイ配置の出力端子の内、外周端子と回路基板の対応する端子とをこれ及び中間端子部材を介して電気的に接続するものである。
【００４３】
前記一方の端子部材は、内側接片部と、外端に前記後部外端を備える外側接片部と、それらを繋ぐ基部とからなり、該基部付近で概ねＶ字状に折曲したものである。前記内側接片部は、前記したように、特にその先端側の接点部がマイクロホンの中心端子に接触するものであり、前記したように、その下部が前記端子取付スリットの下部貫通スリットに挿入されて、該接点部が、マイクロホン収容部にその後面側から進入するようになっているものである。また前記外側接片部は、前記基部から立ち上がってその外端である前記後部外端が前記内側接片部側に折曲されている。該外側接片部は前記基部から立ち上がりつつホルダ本体外に進出して前記端子取付スリットの接合面に当接し、その最上部の後部外端が前記外端係止スリットに挿入されて固定されるようになっている。
【００４４】
なお前記外側接片部は、前記中間端子部材の内部接片部との接触が確実に行われ得るように幅広に構成するのが適当であり、一対の端子部材をそれぞれホルダ本体の所定の位置に配した状態で、外側接片部相互の短絡のおそれなく、これを実現するためには、前記基部を相互の内側接片部から離間する横方向に可能な限り延長して構成し、該基部の相互に可能な限り離れた位置から該外側接片部を立ち上げるように構成するのが適当である。
【００４５】
前記他方の端子部材は、前記一方の端子部材と同様に、内側接片部と、外端に前記後部外端を備える外側接片部と、それらを繋ぐ基部とからなり、該基部付近で概ねＶ字状に折曲したものである。前記内側接片部は、前記したように、特にその先端側の接点部がマイクロホンの外周端子に接触するものであり、前記したように、その下部が前記端子取付スリットの下部貫通スリットに挿入されて、該接点部が、マイクロホン収容部にその後面側から進入するようになっているものである。該内側接片部の接点部がマイクロホンの外周端子に接触する点のみが前記一方の端子部材と異なり、そのため、基部を同様に横方向に延長する場合には、その長さが若干短くなり、延長方向が逆である等の違いが更に生じるが、それ以外は殆ど同様に構成することができる。
【００４６】
前記ホルダ収容部は、前記したように、前記マイクロホンホルダをスライド装入して収容することができる収容空間であり、該マイクロホンホルダを、その端子部材の基部が下方になる位置関係で装入できる空間形状とする。
【００４７】
前記中間端子部材は、前記のように、前記ソケット本体に配される弾力性を持った一対の部材である。一方の中間端子部材は、前記マイクロホンのブルズアイ配置の出力端子の内、中心端子と回路基板の対応する端子とを前記端子部材とこれとを介して電気的に接続するものであり、他方の中間端子部材はマイクロホンのブルズアイ配置の出力端子の内、外周端子と回路基板の対応する端子とを前記端子部材とこれとを介して電気的に接続するものである。
【００４８】
従って前記一対の中間端子部材の各々は前記ホルダ収容部に収容されたマイクロホンホルダの各端子部材の外側接片部に対応させて位置関係を定めるべきものであり、それらの端子部材の一方は、マイクロホンのブルズアイ配置の出力端子の内、中心端子に、他方は、外周端子に、それぞれ接続する関係上、前記のように、基部の横方向の長さを調節することで調整したとしても、前者の端子部材の外側接片部はやや中心寄りの一方側に、後者の外側接片部は中心から寄り離れて他方側に位置することとなり、両中間端子部材の内部接片部は、それぞれ対応する位置に配することとなる。
【００４９】
前記中間端子部材は、それぞれ、以上のようにして端子部材の外側接片部に接触する内部接片部と、その上端で下方に折り返す折り返し部とその下端に構成した外部接片部とからなるほぼ逆Ｖ字形の部材である。
【００５０】
このような一対の中間端子部材は、前記ソケット中に端子収容部を形成し、各々これらの中に配して、それらの内部接片部が各々対応する端子部材の外側接片部に接触しうるようにするのが適当である。従って該各端子収容部は、前記ホルダ収容部に装入されたマイクロホンホルダの一対の端子部材の各々の外側接片部と対面する部位に形成すべきであり、当然に、該各端子収容部は前記ホルダ収容部側に開口する構成とし、該各開口部から内部接片部がホルダ収容部側に進出状態となるべきものである。
【００５１】
前記のように、マイクロホンホルダの端子部材はほぼＶ字形であり、外側接片部は、該マイクロホンホルダがホルダ収容部に装入された状態で、その接触面が下向きの傾斜状態である。また中間端子部材は端子収容部にほぼ逆Ｖ字形に収容されているため、内部接片部はその接触面が上向き傾斜状態である。従ってマイクロホンホルダをホルダ収容部にスライド装入すると、端子部材の外側接片部が対面する中間端子部材の内部接片部に接触しながらスライド進入し、マイクロホンホルダのホルダ収容部への装入完了で、相互の確実な接触が確保されることとなる。
【００５２】
なお中間端子部材の端子収容部への固定は自由な手段で行うことができる。例えば、該端子収容部の最奥面、即ち、ホルダ収容部と反対側の面の途中から最下部までその側方に拡大する係止溝を形成し、他方、該中間端子部材の折り返し部の両側に該係止溝中に進入し得る拡張部を形成し、後者を前者に下方から装入し、該拡張部を係止溝に進入させた場合に、該拡張部の両肩が該係止溝の上端に当接して該中間端子部材のそれ以上の上昇を阻止し得るようにすることができる。
【００５３】
また該拡張部の両側の途中に係止段差を設ける。該係止段差は、その下部側を該拡張部の側部から直角に外方に延長し、その上部は、その延長最外端から斜めに延長して該拡張部の側部に至るように構成する。こうして該中間端子部材を端子収容部に装入した後、抜け出し方向の外力が加わると、該係止段差が係止溝に食い込み状態となり、その抜けが防止されるようにすることができる。
【００５４】
従って本発明のマイクロホン取付装置によれば、マイクロホンホルダのマイクロホン収容部にマイクロホンを装入した上で、予め対象の回路基板に固定してあるソケットのホルダ収容部に該マイクロホンホルダを装入すれば、マイクロホンの取付作業は完了する。
【００５５】
マイクロホン収容部へのマイクロホンの装入はその前面の開口部から行う。該マイクロホンはその後面側から装入する。出力端子がブルズアイ配置であり、周方向にはどのような角度で装入しても前記端子部材の内側接片部との接触は確実に行われ、問題の生じる余地がない。相互間に短絡が生じるような虞もない。前記のように、ストッパを構成しておけば、マイクロホン収容部に装入したマイクロホンは確実にその内部に保持される。
【００５６】
前記のように、前記各端子部材の各基部を側方に延長し、各外側接片部を、相互の間隔を十分広く保持しつつ幅広に構成した場合には、相互の短絡を回避しつつ、前記ソケットの各対応する中間端子部材の内部接片部と確実に接触できるようにすることができる。またそのため該中間端子部材の内部接片部は、その都合に応じて比較的自由にその形状を設定することができる。
【００５７】
前記端子部材及び中間端子部材をいずれも概ねＶ字形又は逆Ｖ字形に構成し、それぞれ弾力性を持った部材で構成したため、各端子部材の内側接片部とマイクロホンの中心端子や外周端子との接触、並びに各端子部材の外側接片部と中間端子部材の内部接片部との接触は、小さなスペースで容易に必要な荷重を得ることが可能であり、電気的に良好な接続を確保することができる。また前記ホルダ本体に弾力性を有する部材を採用することとした場合には、その弾力性をマイクロホンの出力端子と端子部材の内側接片部との接触及び該端子部材の外側接片部とソケットの中間端子部材の内部接片部との接触の強化に利用することも可能となる。
【００５８】
従って本発明のマイクロホン取付装置によれば、マイクロホンの出力音声信号を確実に回路基板に伝達することができることになる。
【００５９】
前記ソケットの中間端子部材は、その折り返し部の下端に構成した外部接片部を自由な向き及び形状に構成することが可能であり、該ソケットを回路基板に取り付けると、それだけで、対応する端子部に良好に接触させ得るようにすることができる。
【００６０】
また本発明のマイクロホン取付装置によれば、マイクロホンホルダの端子部材は、前記したように、前記ホルダ本体の後部両側に構成した端子取付スリットに、それぞれ側方からスライド装入可能であるように構成したため、その取り付け作業が簡単であり、かつ該ホルダ本体の後部の構成を小型化することが可能となり、全体としてのマイクロホン取付装置の小型化を図ることができる。更にまた中間端子部材をホルダ収容部側に開口する端子収容部を構成し、これに配設することとしたため、その構成が簡明となり、組み立て作業が効率的となったものである。
【実施例１】
【００６１】
この実施例のマイクロホン取付装置は、基本的に、マイクロホンＭを収容するマイクロホンホルダと、該マイクロホンホルダを収容するソケットとで構成する。
【００６２】
前記マイクロホンホルダは、図１(a)〜(e)、図２(a)、(b)及び図８(a)、(b)に示すように、前面に開口したマイクロホン収容部１を備え、かつ後部に両側からそれぞれ第１端子部材２ａ又は第２端子部材２ｂを挿入する第１端子取付スリット及び第２端子取付スリットを備えたホルダ本体３と、該第１端子取付スリット及び第２端子取付スリットに挿入固定する前記第１端子部材２ａ及び第２端子部材２ｂとで構成するものであり、また前記ソケットは、図７(a)〜(d)及び図８(a)〜(c)に示すように、前記マイクロホンホルダをスライド装入するホルダ収容部４を備えたソケット本体５と、該ソケット本体５に、そのホルダ収容部４に収容された前記マイクロホンホルダの第１端子部材２ａ及び第２端子部材２ｂの各々に対応させて配する第１中間端子部材６ａ及び第２中間端子部材６ｂとで構成するものである。
【００６３】
この実施例で対象とするマイクロホンＭは、図２(a)、(b)及び図３に示すように、円盤形のエレクトレット・コンデンサ・マイクロホンであり、後面に円形の中心端子ｔ１とこれを円環状の絶縁部を介して囲む同様に円環状の外周端子ｔ２とで構成されるブルズアイ配置の出力端子を備えたものである。
【００６４】
前記ホルダ本体３は、前記のような構成要素を備え、外観的には、特に図１(a)〜(e)に示すように、両肩を４５度に削除し、前面両側に面取りを施し、かつ裏面下部に斜めに削除した態様の斜面を備えた厚板状を基本とする形状の部材であり、弾力性を有するプラスチックにより成形したものである。
【００６５】
前記マイクロホン収容部１は、図１(a)及び図２(a)、(b)に示すように、前記ホルダ本体３の前面に開口するマイクロホンＭの収容のための空間であり、該マイクロホンＭの外径を僅かに越える内径の概ね円盤状の空間である。前面の開口をマイクロホンＭの装入口として用いるものとし、開口縁には面取りを施し、かつこの開口縁の下部中央には、特に図１(a)及び図２(a)、(b)に示すように、該マイクロホン収容部１中に収容したマイクロホンＭが抜け出るのを阻止するストッパ１ａを内側に向けて突出させる。該ストッパ１ａは面取り状にその先端を斜めにカットした形状に構成し、マイクロホンＭの装入をスムーズに行えるように配慮する。
【００６６】
該マイクロホン収容部１には、図１(a)、(b)及び図２(a)、(b)に示すように、その後面（底面）に接片用空間１ｂを切欠状態に構成する。この接片用空間１ｂは、該マイクロホン収容部１の径の１／２を僅かに越える幅で、その中央部を含む領域を帯状に切り欠いた横向きの空間で、その両側を、特に図１(b)及び図２(b)に示すように、前記ホルダ本体３の両側部に開口するまで延長したものである。
【００６７】
前記接片用空間１ｂの後面には、図１(b)及び図２(a)に示すように、該マイクロホン収容部１の中心に対面する位置を含む横一列の位置に、その一列の部位を最も正面側に膨らませた横一列の土手状の膨出部１ｃを構成する。
【００６８】
前記第１端子取付スリット及び第２端子取付スリットは、図１(a)〜(e)及び図２(a)、(b)に示すように、各々をホルダ本体３の後部左右に構成するものであり、前者の方が横方向に長いだけで、両者の基本的な構成は同一である。
【００６９】
前記第１端子取付スリットから説明すると、図１(a)〜(e)及び図２(a)、(b)に示すように、これは、前記第１端子部材２ａの後部外端２ａ１を挿入保持する外端係止スリット７ａ１と、該第１端子部材２ａの外側接片部２ａ２を当接状態に位置させる接合面７ａ２と、該第１端子部材２ａの内側接片部２ａ３の下部及び基部２ａ４を挿入保持する下部貫通スリット７ａ３とで構成する。
【００７０】
前記外端係止スリット７ａ１は、図１(b)、(d)、(e)に示すように、前記ホルダ本体３の裏面下部に形成した斜面の上部境界に沿って形成したスリットであり、一側部から中央方向に向かって該ホルダ本体３の横幅の１／３強程度まで形成したものである。該外端係止スリット７ａ１は、該一側部に開口している。前記接合面７ａ２は、図１(b)、(d)、(e)及び図２(a)に示すように、前記斜面の内、該外端係止スリット７ａ１の下方に位置する部分をそれとして用いる。また前記下部貫通スリット７ａ３は、図１(b)、(d)、(e)及び図２(a)に示すように、前記外端係止スリット７ａ１と対応する位置関係かつ同一の横方向の長さで前記ホルダ本体３の裏面側に開口し、かつ前面側に若干入り込んだ上で、前面側と平行な状態で前記接片用空間１ｂ中まで延長した構成とする。当然この下部貫通スリット７ａ３も前記一側に開口している。
【００７１】
前記第２端子取付スリットも、これを構成する要素の基本的構成は、前記第１端子取付スリットと同様であり、図１(a)〜(e)及び図２(a)、(b)に示すように、これは、前記第２端子部材２ｂの後部外端２ｂ１を挿入保持する外端係止スリット７ｂ１と、該第２端子部材２ｂの外側接片部２ｂ２を当接状態に位置させる接合面７ｂ２と、該第２端子部材２ｂの内側接片部２ｂ３の下部及び基部２ｂ４を挿入保持する下部貫通スリット７ｂ３とで構成する。
【００７２】
前記外端係止スリット７ｂ１は、図１(b)、(d)、(e)に示すように、前記第１端子取付スリットの外端係止スリット７ａ１と形状、深さ及び幅は全く同一であるが、その長さは短く、他側部から中央方向に向かって該ホルダ本体３の横幅の１／５程度まで形成したものである。前記接合面７ｂ２と前記第１端子取付スリットの接合面７ａ２との関係、前記下部貫通スリット７ｂ３と前記第１端子取付スリットの下部貫通スリット７ａ３との関係も同様である。勿論、該第２端子取付スリットの下部貫通スリット７ｂ３もホルダ本体３の前記他側部にも開口している。
【００７３】
前記第１端子部材２ａ及び第２端子部材２ｂは、それらを構成する構成要素の基本構成は全く同一であるが、各々前記第１端子取付スリット又は第２端子取付スリットにスライド挿入するように構成されるものであるから、各挿入部相互の寸法の異なる部分に対応する違いのみを持つこととなる。
【００７４】
前記第１端子部材２ａ及び前記第２端子部材２ｂは、図４(a)、(b)、図５(a)〜(d)及び図６(a)〜(d)に示すように、短冊状に延びる前記内側接片部２ａ３、２ｂ３と、外端に前記後部外端２ａ１、２ｂ１を備える板状の前記外側接片部２ａ２、２ｂ２と、それらを相互の下端で繋ぐ基部２ａ４、２ｂ４とからなり、該基部２ａ４、２ｂ４と前記外側接片部２ａ２、２ｂ２との境界付近で側方から見て概ねＶ字状になるように折曲したものである。これは弾力性を有する部材で構成され、云うまでもなく、良導体金属で構成されたものである。
【００７５】
該内側接片部２ａ３、２ｂ３には、図４(a)、(b)、図５(a)〜(d)、図６(a)〜(d)及び図８(b)に示すように、それぞれこれらが接触すべきマイクロホンＭの出力端子側に膨らむ接点部２ａ３ｐ、２ｂ３ｐを構成する。前記基部２ａ４、２ｂ４は、特に図１(d)及び図３に示すように、該第１端子部材２ａ及び該第２端子部材２ｂを各々前記ホルダ本体３の第１端子取付スリット又は第２端子取付スリットに挿入配置した状態で、相互に隣接する他の内側接片部２ａ３又は２ｂ３から離れる横方向に延長した帯状部材に構成するものとし、かつ前記各外側接片部２ａ２、２ｂ２を、該基部２ａ４、２ｂ４の他の内側接片部２ａ３又は２ｂ３から離れた位置に立ち上げるように構成する。また前記後部外端２ａ１、２ｂ１は、図４(a)、(b)、図５(a)〜(d)及び図６(a)〜(d)に示すように、各外側接片部２ａ２、２ｂ２の外端を基部２ａ４、２ｂ４側にほぼ９０度に曲げて構成したものである。
【００７６】
前記内側接片部２ａ３、２ｂ３は、図２(a)、(b)、図３及び図８(b)に示すように、特にその先端側の接点部２ａ３ｐ、２ｂ３ｐがマイクロホンＭのブルズアイ配置の出力端子に接触するように配置する。より詳細には、前記第１端子部材２ａの内側接片部２ａ３の接点部２ａ３ｐがマイクロホンＭの中心端子ｔ１に接触し、前記第２端子部材２ｂの内側接片部２ｂ３が該マイクロホンＭの外周端子ｔ２に接触するように配置する。該内側接片部２ａ３、２ｂ３は、前記したように、それぞれその下部が、基部２ａ４、２ｂ４と共に、前記第１端子取付スリット又は第２端子取付スリットの下部貫通スリット７ａ３、７ｂ３に挿入されて前記接片用空間１ｂ中に延長され、更に該各接点部２ａ３ｐ、２ｂ３ｐは該接片用空間１ｂを通じてマイクロホン収容部１中にその後面側から進入するようになる。
【００７７】
この状態で、該各接点部２ａ３ｐ、２ｂ３ｐは、接片用空間１ｂの後面の膨出部１ｃの直前に僅かの隙間をあけて位置することとなり、マイクロホンＭが前記マイクロホン収容部１中に装入され、その出力端子の各々に押し戻されて該各接点部２ａ３ｐ、２ｂ３ｐが後退させられた場合に、その裏面側が該膨出部１ｃの頂部に当接してこれによって背後から支持されるようになる。
【００７８】
また前記外側接片部２ａ２、２ｂ２は、基部２ａ４、２ｂ４が前記第１端子取付スリット又は第２端子取付スリットの下部貫通スリット７ａ３、７ｂ３に挿入された状態で、図１(b)、(d)、(e)及び図８(a)、(b)に示すように、該基部２ａ４、２ｂ４から立ち上がりつつホルダ本体３外に進出して各対応する接合面７ａ２、７ｂ２に当接し、その最上部の後部外端２ａ１、２ｂ１が前記外端係止スリット７ａ１、７ｂ１に挿入されて固定されるようになっている。
【００７９】
図１(d)に示すように、以上の第１端子部材２ａは、その各構成部位を、ホルダ本体３の背後から見て左側の第１端子取付スリットのそれぞれ対応する部位に左側から挿入し、また以上の第２端子部材２ｂは、その各構成部位を、ホルダ本体３の背後から見て右側の第２端子取付スリットのそれぞれ対応する部位に右側から挿入して、各々以上のような位置関係に取り付けることができる。
【００８０】
更に、前記第１端子部材２ａ及び第２端子部材２ｂは、以上に述べたところから理解されるように、相互に左右逆向きの構成でありつつ、前者の基部２ａ４が後者の基部２ｂ４より横方向の長さを長く構成してあり、前者の外側接片部２ａ２が後者の外側接片部２ｂ２より幅広に構成してあり、更に前者の外側接片部２ａ２が基部２ａ４の途中から立ち上げてあるのに対して、後者の外側接片部２ｂ２は基部２ｂ４の最外端から立ち上がるように構成してあるものである。
【００８１】
前記ソケット本体５は、図７(a)〜(d)及び図８(a)〜(c)に示すように、ホルダ収容部４を構成する直方体状の部分を主要部とし、これに他の同様に直方体状の構成要素を付加した態様のもので、全体を若干の弾力性を有するプラスチックによって一体に成形したものである。
【００８２】
前記ホルダ収容部４は、前記したように、前記マイクロホンホルダをスライド装入して収容することができる収容空間であり、図７(a)及び図８(a)、(b)に示すように、該マイクロホンホルダを、その第１端子部材２ａ及び第２端子部材２ｂの基部２ａ４、２ｂ４が下方になる位置関係で装入できる空間形状とする。マイクロホンホルダは、ホルダ本体３と第１端子部材２ａ及び第２端子部材２ｂとからなり、後者は、該ホルダ本体３の後部下方の接合面７ａ２、７ｂ２にその外側接片部２ａ２、２ｂ２が接合状態で露出しているだけであるから、殆どホルダ本体３の形状が、その形状を構成している。従って該ホルダ収容部４の形状は、ホルダ本体３の厚みや幅を僅かに越える厚板状の空間に構成するものである。
【００８３】
前記第１中間端子部材６ａ及び前記第２中間端子部材６ｂは、図８(a)〜(c)、図９(a)〜(c)及び図１０(a)〜(c)に示すように、相互に殆ど同様の基本構成を持った弾性の部材であり、前記第１端子部材２ａ又は第２端子部材２ｂの外側接片部２ａ２、２ｂ２に接触する内部接片部６ａ１、６ｂ１と、その上端で下方に折り返す折り返し部６ａ２、６ｂ２と、その下端に構成した外部接片部６ａ３、６ｂ３と、該折り返し部６ａ２、６ｂ２の途中から下端部までの両側部に形成した拡張部６ａ４、６ａ４、６ｂ４、６ｂ４とからなるほぼ逆Ｖ字形の部材である。これらは云うまでもなく良導体金属で構成されたものである。
【００８４】
なお前記外部接片部６ａ３、６ｂ３は、図８(b)、図９(a)〜(c)及び図１０(a)〜(c)に示すように、前記折り返し部６ａ２、６ｂ２の下端でそれぞれ対応する内部接片部６ａ１、６ｂ１とは反対側にほぼ９０度に折り曲げて構成したものである。
また前記拡張部６ａ４、６ａ４、６ｂ４、６ｂ４は、図９(a)〜(c)及び図１０(a)〜(c)に示すように、前記折り返し部６ａ２、６ｂ２の前記該当部位を両側に拡張して幅広に構成し、その幅広の部位の途中両側に係止段差６ａ５、６ａ５、６ｂ５、６ｂ５を設けてなるものである。該係止段差６ａ５、６ａ５、６ｂ５、６ｂ５は、その下部側を該拡張部６ａ４、６ａ４、６ｂ４、６ｂ４の側部から直角に外方に延長し、その上部は、その延長最外端から斜めに延長して該拡張部６ａ４、６ａ４、６ｂ４、６ｂ４の側部に至るように構成するものである。
【００８５】
以上の第１中間端子部材６ａ及び第２中間端子部材６ｂは、図７(a)、(d)及び図８(b)に示すように、前記ソケット本体５中に第１端子収容部８ａ及び第２端子収容部８ｂを形成し、各々を対応するそれの中に配して、第１中間端子部材６ａ及び第２中間端子部材６ｂの内部接片部６ａ１、６ｂ１をそれぞれマイクロホンホルダ側の第１端子部材２ａの外側接片部２ａ２又は第２端子部材２ｂの外側接片部２ｂ２に当接させるようにする。
【００８６】
第１端子収容部８ａ及び第２端子収容部８ｂは、従って、図７(a)、(d)及び図８(b)、(c)に示すように、前記ホルダ収容部４に収容されたマイクロホンホルダの下方に露出する第１端子部材２ａの外側接片部２ａ２と第２端子部材２ｂの外側接片部２ｂ２とにそれぞれ対応する位置に形成する。いずれも該ホルダ収容部４側に開口し、更に上下にも開口した断面四角形の貫通空間に構成する。
【００８７】
以上の第１端子収容部８ａ及び第２端子収容部８ｂには、その最奥の面、即ち、前記ホルダ収容部４に装入されたマイクロホンホルダと対面する側の面から拡張した係止溝８ａ１、８ｂ１を形成する。これらの係止溝８ａ１、８ｂ１は、図８(c)に示すように、該第１端子収容部８ａ及び第２端子収容部８ｂに適正に装入した第１中間端子部材６ａ又は第２中間端子部材６ｂの拡張部６ａ４、６ａ４、６ｂ４、６ｂ４の上端に相当する位置から最下端までの間に構成する。
【００８８】
こうして第１中間端子部材６ａ及び第２中間端子部材６ｂは、これらをそれぞれ対応する第１端子収容部８ａ又は第２端子収容部８ｂに装入すると、図８(c)に示すように、前者の拡張部６ａ４、６ａ４、６ｂ４、６ｂ４の上端が後者の係止溝８ａ１、８ｂ１の上端に当接して上方への動きが規制され、下方への動きは該拡張部６ａ４、６ａ４、６ｂ４、６ｂ４の係止段差６ａ５、６ａ５、６ｂ５、６ｂ５が該係止溝８ａ１、８ｂ１の対面する面に食い込むことで規制されて固定され、図８(b)に示すように、前者の内部接片部６ａ１、６ｂ１の先端部がホルダ収容部４内に進出状態となる。
【００８９】
従ってこの実施例のマイクロホン取付装置によれば、前記したように、ホルダ本体３のマイクロホン収容部１に、その前面からマイクロホンＭを装入すると、これは簡単に装入され、開口縁の下部側に構成したストッパ１ａによりその抜け出しが阻止され、図２(a)に一点鎖線で示したように、装入状態が固定されることになる。
【００９０】
図２(b)及び図３に示すように、前記マイクロホンＭの出力端子はブルズアイ配置であり、該マイクロホンＭが周方向にはどのような角度で装入されても、その中心端子ｔ１と前記第１端子部材２ａの内側接片部２ａ３との接触及び外周端子ｔ２と第２端子部材２ｂの内側接片部２ｂ３との接触は確実に行われ、問題の生じる余地はない。また相互間に短絡が生じるような虞もない。
【００９１】
他方、前記ソケットを図示しない回路基板の所定の位置に固定する。ソケットの固定は、前記ソケット本体５の下部を該回路基板の所定の位置に載せた上で、所定の固定手段を用いることにより行う。この状態で、該ソケット本体５の第１端子収容部８ａ及び第２端子収容部８ｂの下部から各々第１中間端子部材６ａ及び第２中間端子部材６ｂの外部接片部６ａ３、６ｂ３が若干突出し、それぞれ該回路基板上に構成されている対応する各端子に弾力的に接触することとなる。こうして該第１中間端子部材６ａ及び該第２中間端子部材６ｂと該回路基板との電気的な接続が確保される。
【００９２】
この後、前記のように、マイクロホンＭを収納保持したマイクロホンホルダを、図７(a)及び図８(a)〜(c)に示すように、ソケットのホルダ収容部４に装入する。マイクロホンの取付作業はこれによって完了する。
【００９３】
前記のように、マイクロホンホルダの第１端子部材２ａ及び第２端子部材２ｂは側面から見てほぼＶ字形であり、各外側接片部２ａ２、２ｂ２は、該マイクロホンホルダがホルダ収容部４に装入されるとき、図８(b)に示すように、その接触面は下向きの傾斜状態となっている。また前記第１中間端子部材６ａ及び第２中間端子部材６ｂは前記第１端子収容部８ａ及び前記第２端子収容部８ｂにほぼ逆Ｖ字形に収容されているため、同図に示すように、それらの内部接片部６ａ１、６ｂ１はその接触面が上向き傾斜状態となっている。従って、前記のように、マイクロホンホルダをホルダ収容部４にスライド装入すると、第１端子部材２ａ及び第２端子部材２ｂの各外側接片部２ａ２、２ｂ２は対面する第１中間端子部材６ａ及び第２中間端子部材６ｂの内部接片部６ａ１、６ｂ１に接触しながらスライド進入し、マイクロホンホルダのホルダ収容部４への装入完了で、相互の確実な接触が確保されることとなる。
【００９４】
また前記のように、前記第１端子部材２ａ及び第２端子部材２ｂの各基部２ａ４、２ｂ４を、それぞれ該当する側方に最大限度に延長し、かつ該基部２ａ４、２ｂ４の前記所定の位置に外側接片部２ａ２、２ｂ２を立ち上げ、更に該外側接片部２ａ２、２ｂ２の幅を広く構成したため、各々相互間の短絡を回避しつつ、前記ソケットの第１中間端子部材６ａの内部接片部６ａ１又は第２中間端子部材６ｂの内部接片部６ｂ１と確実な接触を確保することができることになる。またそのため該第１中間端子部材６ａ及び第２中間端子部材６ｂの内部接片部６ａ１、６ｂ１は、その都合に応じて比較的自由にその形状を設定することができたものである。
【００９５】
また第１端子部材２ａ、第２端子部材２ｂ、第１中間端子部材６ａ及び第２中間端子部材６ｂをいずれも概ねＶ字形又は逆Ｖ字形に構成し、それぞれを弾力性を持った部材で構成したため、該第１端子部材２ａ及び該第２端子部材２ｂの内側接片部２ａ３、２ｂ３とマイクロホンＭの中心端子ｔ１や外周端子ｔ２との接触、並びに該第１端子部材２ａ及び該第２端子部材２ｂの外側接片部２ａ２、２ｂ２と該第１中間端子部材６ａ及び該第２中間端子部材６ｂの内部接片部６ａ１、６ｂ１との接触は、それぞれ小さなスペースで容易に必要な荷重を得ることが可能であり、電気的に良好な接続を確保することができる。
【００９６】
また前記ホルダ本体３も弾力性を有する部材で構成したため、その弾力性をマイクロホンＭの中心端子ｔ１及び外周端子ｔ２と第１端子部材２ａ及び第２端子部材２ｂの内側接片部２ａ３、２ｂ３との接触、並びに該第１端子部材２ａ及び該第２端子部材２ｂの外側接片部２ａ２、２ｂ２とソケットの第１中間端子部材６ａ及び第２中間端子部材６ｂの内部接片部６ａ１、６ｂ１との接触の強化も得られたものとなっている。
【００９７】
従ってこの実施例のマイクロホン取付装置によれば、マイクロホンの出力音声信号を確実に回路基板側に伝達することができることになる。
【００９８】
またこの実施例のマイクロホン取付装置によれば、マイクロホンホルダの第１端子部材２ａ及び第２端子部材２ｂは、前記したように、前記ホルダ本体３の後部両側に構成した第１端子取付スリット又は第２端子取付スリットに、それぞれ側方からスライド装入可能であるように構成したため、その取り付け作業が簡単であり、かつ特に該ホルダ本体３の後部の構成を小型化することが可能となり、全体としてのマイクロホン取付装置の小型化を図ることができる。更に又、第１中間端子部材６ａ及び第２中間端子部材６ｂを、ホルダ収容部４側に開口する第１端子収容部８ａ及び第２端子収容部８ｂを構成し、それぞれこれらの対応する側に配設することとしたため、その構成が簡明となり、組み立て作業が効率的となったものである。
【図面の簡単な説明】
【００９９】
【図１】(a)はマイクロホンホルダの正面図、(b)はマイクロホンホルダの右側面図、(c)はマイクロホンホルダの平面図、(d)はマイクロホンホルダの背面図、(e)はマイクロホンホルダの底面図。
【図２】(a)は図１(a)のＡ−Ａ線断面図、(b)は図１(b)のＢ−Ｂ線断面図。
【図３】マイクロホンの出力端子への第１端子部材及び第２端子部材の接触状態を説明する背面説明図。
【図４】(a)は第１端子部材の斜視図、(b)は第２端子部材の斜視図。
【図５】(a)第１端子部材の平面図、(b)は第１端子部材の左側面図、(c)は第１端子部材の正面図、(d)は第１端子部材の右側面図。
【図６】(a)第２端子部材の平面図、(b)は第２端子部材の左側面図、(c)は第２端子部材の正面図、(d)は第２端子部材の右側面図。
【図７】(a)はマイクロホン取付装置の平面図、(b)はマイクロホン取付装置の正面図、(c)はマイクロホン取付装置の右側面図、(d)はマイクロホン取付装置の底面図。
【図８】(a)は図７(a)のＣ−Ｃ線断面図、(b)は図７(a)のＤ−Ｄ線断面図、(c)は図７(a)のＥ−Ｅ線断面図。
【図９】(a)は第１中間端子部材の正面図、(b)は第１中間端子部材の右側面図、(c)は第１中間端子部材の底面図。
【図１０】(a)は第２中間端子部材の正面図、(b)は第２中間端子部材の右側面図、(c)は第２中間端子部材の底面図。
【符号の説明】
【０１００】
１    マイクロホン収容部
１ａ  ストッパ
１ｂ  接片用空間
１ｃ  膨出部
２ａ  第１端子部材
２ａ１  後部外端
２ａ２  外側接片部
２ａ３  内側接片部
２ａ３ｐ  接点部
２ａ４  基部
２ｂ  第２端子部材
２ｂ１  後部外端
２ｂ２  外側接片部
２ｂ３  内側接片部
２ｂ３ｐ  接点部
２ｂ４  基部
３    ホルダ本体
４    ホルダ収容部
５    ソケット本体
６ａ  第１中間端子部材
６ａ１  内部接片部
６ａ２  折り返し部
６ａ３  外部接片部
６ａ４  拡張部
６ａ５  係止段差
６ｂ  第２中間端子部材
６ｂ１  内部接片部
６ｂ２  折り返し部
６ｂ３  外部接片部
６ｂ４  拡張部
６ｂ５  係止段差
７ａ１  外端係止スリット
７ａ２  接合面
７ａ３  下部貫通スリット
７ｂ１  外端係止スリット
７ｂ２  接合面
７ｂ３  下部貫通スリット
８ａ  第１端子収容部
８ａ１  係止溝
８ｂ  第２端子収容部
８ｂ１  係止溝
Ｍ    マイクロホン
ｔ１  中心端子
ｔ２  外周端子
【図１】
2006115395.tif 000003
【図２】
2006115395.tif 000004
【図３】
2006115395.tif 000005
【図４】
2006115395.tif 000006
【図５】
2006115395.tif 000007
【図６】
2006115395.tif 000008
【図７】
2006115395.tif 000009
【図８】
2006115395.tif 000010
【図９】
2006115395.tif 000011
【図１０】
2006115395.tif 000012